(57)【要約】【課題】優れた情報保護機能を備えた電気泳動表示装置を提供する。【解決手段】本発明の電気泳動表示装置は、表示部に表示させる画像データを記憶する記憶部に、前記表示部に表示されていた画像の可読性を低下させる可読阻害画像を備えることを特徴とする。【選択図】図５
2010210898.tif 000002
【特許請求の範囲】
【請求項１】
一対の基板間に電気泳動素子を挟持してなり、表示部に画像を表示させる制御部と、前記表示部に表示させる画像データを記憶する記憶部とを備えた電気泳動表示装置であって、
前記記憶部に、前記表示部に表示されていた画像の可読性を低下させる可読阻害画像を備えることを特徴とする電気泳動表示装置。
【請求項２】
前記制御部は、前記表示部の表示画像を消去した後に、前記可読阻害画像を表示させる動作を実行することを特徴とする請求項１に記載の電気泳動表示装置。
【請求項３】
前記制御部は、前記可読阻害画像を表示させた後に、前記表示部の表示コントラストを変更するコントラスト変更動作を実行することを特徴とする請求項１又は２に記載の電気泳動表示装置。
【請求項４】
前記コントラスト変更動作は、表示画像の少なくとも一部の画像成分を中間調表示に移行させる動作であることを特徴とする請求項３に記載の電気泳動表示装置。
【請求項５】
前記制御部は、当該電気泳動表示装置の電源オフ動作の実行期間に、前記表示部に前記可読阻害画像を表示させる動作を実行することを特徴とする請求項１から４のいずれか１項に記載の電気泳動表示装置。
【請求項６】
前記制御部は、前記表示部に表示させる前記画像データに所定の識別情報が含まれているか否かに基づいて、前記可読阻害画像の表示動作の実行を選択することを特徴とする請求項１から５のいずれか１項に記載の電気泳動表示装置。
【請求項７】
前記可読阻害画像が、文字及び図形の少なくとも一方を含むパターン画像であることを特徴とする請求項１から６のいずれか１項に記載の電気泳動表示装置。
【請求項８】
前記可読阻害画像が、前記表示部の縦横に延在する画像成分と、前記表示部の斜め方向に延在する画像成分とを含む画像であることを特徴とする請求項１から６のいずれか１項に記載の電気泳動表示装置。
【請求項９】
一対の基板間に電気泳動素子を挟持してなる電気泳動表示装置の駆動方法であって、
表示部に表示されていた画像の可読性を低下させる可読阻害画像を前記表示部に表示する情報保護ステップを有することを特徴とする電気泳動表示装置の駆動方法。
【請求項１０】
前記可読阻害画像を表示するに先立って表示画像を消去する表示消去ステップを有することを特徴とする請求項９に記載の電気泳動表示装置の駆動方法。
【請求項１１】
前記可読阻害画像を表示させた後に前記表示部の表示コントラストを変更するコントラスト変更ステップを有することを特徴とする請求項９又は１０に記載の電気泳動表示装置の駆動方法。
【請求項１２】
前記コントラスト変更ステップにおいて、表示画像の少なくとも一部の画像成分を中間調表示に移行させることを特徴とする請求項１１に記載の電気泳動表示装置の駆動方法。
【請求項１３】
前記情報保護ステップが、当該電気泳動表示装置の電源を停止する電源オフステップに含まれることを特徴とする請求項９から１２のいずれか１項に記載の電気泳動表示装置の駆動方法。
【請求項１４】
入力される画像データに所定の識別情報が含まれているときに、前記情報保護ステップを実行することを特徴とする請求項９から１２のいずれか１項に記載の電気泳動表示装置の駆動方法。
【発明の詳細な説明】
【技術分野】
【０００１】
本発明は、電気泳動表示装置とその駆動方法に関するものである。
【背景技術】
【０００２】
電気泳動表示装置は、電気泳動粒子及び分散媒を含む電気泳動素子を備えており、電気泳動素子自体が記憶性を有している。この記憶性により、電源供給を停止しても表示画像を保持することができる。その反面、表示画像を消去しても残像が生じやすいという課題がある。そのため、従来から種々の画像消去を行う駆動方法が提案されていた（例えば特許文献１〜３）。
【先行技術文献】
【特許文献】
【０００３】
【特許文献１】特開２００２−１４９１１５号公報
【特許文献２】特開２００７−２０６２６７号公報
【特許文献３】特開２００７−２０６４７１号公報
【発明の概要】
【発明が解決しようとする課題】
【０００４】
特許文献１記載の駆動方法では、新たな画像を表示する前に、表示部全体を白表示していた。しかし、かかる駆動方法では、全面白表示により画像を消去する際に、元が白表示であった画素をさらに白表示動作させる電圧が印加されていた。そのため、表示内容を変更した際に、変更前に白表示であった領域の反射率が黒表示に近づいてしまい、残像として視認されるという問題があった。
【０００５】
一方、特許文献２記載の駆動方法では、新たな画像を表示する前に、黒表示の領域のみを白表示動作させる電圧を印加して表示部全体を白表示していた。これにより、特許文献１に記載の駆動方法における残像を抑えることが可能であった。
また、特許文献３記載の駆動方法では、白表示の領域のみを黒表示動作させる電圧を印加して表示部全体を黒表示した後、さらに表示部全体を白表示する駆動を行い、その後に新たな画像を表示していた。これにより、さらに残像を抑えることが可能であった。
【０００６】
しかしながら、特許文献１〜３記載の駆動方法を用いたとしても、長時間の駆動によって蓄積された残像までも完全に消去することは難しく、電源オフ後に表示されていた内容を読み取れなくする上での課題となっていた。
【０００７】
本発明は、上記従来技術の問題点に鑑み成されたものであって、優れた情報保護機能を備えた電気泳動表示装置とその駆動方法を提供することを目的の一つとする。
【課題を解決するための手段】
【０００８】
本発明の電気泳動表示装置は、一対の基板間に電気泳動素子を挟持してなり、表示部に画像を表示させる制御部と、前記表示部に表示させる画像データを記憶する記憶部とを備えた電気泳動表示装置であって、前記記憶部に、前記表示部に表示されていた画像の可読性を低下させる可読阻害画像を備えることを特徴とする。
【０００９】
この構成によれば、可読阻害画像を表示部に表示させ、以前表示されていた画像が読み取られるのを防止することができる電気泳動表示装置を実現できる。したがって、表示部に解消困難な残像が生じた場合であっても適切に情報を保護することができる。
【００１０】
前記制御部は、前記表示部の表示画像を消去した後に、前記可読阻害画像を表示させる動作を実行することが好ましい。
この構成によれば、可読阻害画像を表示する前に表示画像を消去するので、以前に表示されれていた画像の可読性をさらに低下させることができ、より効果的に情報を保護することができる。
【００１１】
前記制御部は、前記可読阻害画像を表示させた後に、前記表示部の表示コントラストを変更するコントラスト変更動作を実行することが好ましい。
この構成によれば、表示部に生じる残像の階調と可読阻害画像の階調とを調整することができ、以前表示されていた画像の残像を判別しにくくすることができる。これにより、さらに効果的に情報を保護することができる。
【００１２】
前記コントラスト変更動作は、表示画像の少なくとも一部の画像成分を中間調表示に移行させる動作であることが好ましい。
表示部に生じる残像は、通常、黒表示や白表示ではなく中間階調である。そこで、このような構成とすることで、表示部に生じる残像の階調と可読阻害画像の階調とを近づけることができ、残像をさらに目立たなくすることができる。これにより、さらに効果的な情報保護が可能になる。
【００１３】
前記制御部は、当該電気泳動表示装置の電源オフ動作の実行期間に、前記表示部に前記可読阻害画像を表示させる動作を実行することが好ましい。
この構成によれば、電気泳動表示装置を電源オフする際に可読阻害画像を表示させ、以前表示されていた画像を読み取れなくすることができる。これにより、使用していないときに適切に情報を保護することができる電気泳動表示装置となる。
【００１４】
前記制御部は、前記表示部に表示させる前記画像データに所定の識別情報が含まれているか否かに基づいて、前記可読阻害画像の表示動作の実行を選択することが好ましい。
この構成によれば、可読阻害画像の表示動作を必要なときにのみ実行するので、電力消費を抑えることができる。また、かかる構成によれば、電気泳動素子の記憶性を利用して同一画像を表示し続ける用途にも好適に使用することができる。
【００１５】
前記可読阻害画像が、文字及び図形の少なくとも一方を含むパターン画像であることが好ましい。あるいは、前記可読阻害画像が、前記表示部の縦横に延在する画像成分と、前記表示部の斜め方向に延在する画像成分とを含む画像であることが好ましい。
このような可読阻害画像を用いることで、残像の生じやすい電気泳動表示装置における情報保護を確実に行うことができる。
【００１６】
次に、本発明の電気泳動表示装置の駆動方法は、一対の基板間に電気泳動素子を挟持してなる電気泳動表示装置の駆動方法であって、表示部に表示されていた画像の可読性を低下させる可読阻害画像を前記表示部に表示する情報保護ステップを有することを特徴とする。
【００１７】
この駆動方法によれば、可読阻害画像を表示部に表示させることで、以前表示されていた画像が読み取られるのを防止することができる。したがって、表示部に解消困難な残像が生じた場合であっても適切に情報を保護することができる。
【００１８】
前記可読阻害画像を表示するに先立って表示画像を消去する表示消去ステップを有することが好ましい。
この駆動方法によれば、可読阻害画像を表示する前に表示画像を消去するので、以前に表示されれていた画像の可読性をさらに低下させることができ、より効果的に情報を保護することができる。
【００１９】
前記可読阻害画像を表示させた後に前記表示部の表示コントラストを変更するコントラスト変更ステップを有することが好ましい。
この駆動方法によれば、表示部に生じる残像の階調と可読阻害画像の階調とを調整することができ、以前表示されていた画像の残像を判別しにくくすることができる。これにより、さらに効果的に情報を保護することができる。
【００２０】
前記コントラスト変更ステップにおいて、表示画像の少なくとも一部の画像成分を中間調表示に移行させることが好ましい。
表示部に生じる残像は、通常、黒表示や白表示ではなく中間階調である。そこで、このような駆動方法とすることで、表示部に生じる残像の階調と可読阻害画像の階調とを近づけることができ、残像をさらに目立たなくすることができる。これにより、さらに効果的な情報保護が可能になる。
【００２１】
前記情報保護ステップが、当該電気泳動表示装置の電源を停止する電源オフステップに含まれることが好ましい。
この駆動方法によれば、電気泳動表示装置を電源オフする際に可読阻害画像を表示させ、以前表示されていた画像を読み取れなくすることができる。これにより、使用していないときに適切に情報を保護することができる電気泳動表示装置となる。
【００２２】
入力される画像データに所定の識別情報が含まれているときに、前記情報保護ステップを実行することが好ましい。
この駆動方法によれば、可読阻害画像の表示動作を必要なときにのみ実行するので、電力消費を抑えることができる。また、この駆動方法によれば、電気泳動素子の記憶性を利用して同一画像を表示し続ける用途にも好適に使用することができる。
【図面の簡単な説明】
【００２３】
【図１】実施形態に係る電気泳動表示装置の外観図。
【図２】電気泳動表示装置の内部構成を示すブロック図。
【図３】電気泳動表示パネルの概略構成図。
【図４】実施形態に係る第１の駆動方法を示すフローチャート。
【図５】第１の駆動方法における表示部の状態遷移を示す説明図。
【図６】可読阻害画像の第１構成例を示す図。
【図７】可読阻害画像の第２構成例を示す図。
【図８】可読阻害画像の第３構成例を示す図。
【図９】可読阻害画像の第４構成例を示す図。
【図１０】実施形態に係る第２の駆動方法を示すフローチャート。
【発明を実施するための形態】
【００２４】
以下、図面を用いて本発明の電気泳動表示装置とその駆動方法について説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせている。
【００２５】
図１は、本発明の一実施の形態である電気泳動表示装置１００の外観図である。図２は、本実施形態の電気泳動表示装置１００の内部構成を示すブロック図である。
図１に示すように、電気泳動表示装置１００は、筐体１０１と、筐体１０１の開口部に装着された電気泳動表示部１１２とを備えている。筐体１０１には、ページ送りボタン１０５と、ページ戻しボタン１０６と、連続送りボタン１０７と、決定ボタン１０８と、電源ボタン１１６とが設けられている。
【００２６】
電気泳動表示装置１００は、図２に示すように、ＣＰＵ（Central Processing Unit；制御部）１０２、ワークメモリー（ＲＡＭ（Random Access Memory））１０３、プログラムメモリー（ＲＯＭ（Read Only Memory）；記憶部）１０４、入力Ｉ／Ｆ１０９、ＶＲＡＭ（Video RAM）１１０、表示部制御回路１１１、電気泳動表示部１１２、タッチパネルＩ／Ｆ１１４、及びタイマー１１５を備えており、各部はバス１１８を介して信号を授受可能に接続されている。タッチパネルＩ／Ｆ１１４には、タッチパネル１１３が接続されている。さらに、表示部制御回路１１１には、電気泳動表示パネル１１９に備えられた走査線駆動回路１２０とデータ線駆動回路１２１とが接続されている。
【００２７】
入力Ｉ／Ｆ１０９には、入力ボタン１３０が接続されている。入力ボタン１３０は、図１に示したページ送りボタン１０５、ページ戻しボタン１０６、連続送りボタン１０７、決定ボタン１０８及び電源ボタン１１６を含む。
【００２８】
入力Ｉ／Ｆ１０９は、ページ送りボタン１０５が押下操作されるとページ送り信号をＣＰＵ１０２に出力する。また、ページ戻しボタン１０６が押下操作されるとページ戻し信号をＣＰＵ１０２に出力し、連続送りボタン１０７が押下操作されると連続送り信号をＣＰＵ１０２に出力する。さらに、電源ボタン１１６が押下操作されると、電源制御信号をＣＰＵ１０２に出力する。
【００２９】
ＣＰＵ１０２は、プログラムメモリー１０４に格納された基本制御プログラムやアプリケーションプログラム等の各種プログラム及びデータを読み込み、それら各種プログラム及びデータをワークメモリー１０３内に設けられるワークエリアに展開実行して、電気泳動表示装置１００が備える各部の制御を実行する。
【００３０】
例えば、ＣＰＵ１０２は、入力ボタン１３０の操作に基づいて入力Ｉ／Ｆ１０９からページ送り信号が出力されると、電気泳動表示部１１２に表示されているドキュメントの次ページに対応する画像データ（以下、ラスタデータとも呼ぶ。）を生成し、そのラスタデータをＶＲＡＭ１１０に格納する。
【００３１】
同様に、入力Ｉ／Ｆ１０９からページ戻し信号が出力された場合には、ドキュメントの前ページに対応するラスタデータを生成してＶＲＡＭ１１０に格納する。また、連続送り信号が出力された場合にはドキュメントの次ページ以降に対応するラスタデータを次々と生成し、ＶＲＡＭ１１０に順次格納する。
【００３２】
また、入力Ｉ／Ｆ１０９から電源制御信号が出力された場合には、ＣＰＵ１０２は、電気泳動表示装置１００の作動状態に応じて、電源投入動作、電源オフ動作、スタンバイ動作などを実行する。すなわち、電気泳動表示装置１００が電源オフ状態又はスタンバイ状態であれば、電気泳動表示部１１２への画像表示が可能な動作状態へ移行させるために、図２に示した各回路への電源供給を開始する電源投入動作を実行する。一方、電気泳動表示装置１００が通電状態にある場合には、電源オフ状態又はスタンバイ状態に移行させるために、各回路の一部又は全部への電源供給を停止する動作を実行する。
【００３３】
ワークメモリー１０３は、ＣＰＵ１０２が各種プログラムに従って上記処理を実行するときに、各種プログラムを展開するワークエリアを形成するとともに、ＣＰＵ１０２により実行される各種処理に係るデータを展開するための一時記憶領域を形成する。
なお、ワークメモリー１０３としては、ＦｅＲＡＭ（Ferroelectric Random Access Memory）やＭＲＡＭ(Magnetoresistive random access memory)等の不揮発性メモリーのほか、ＤＲＡＭ（Dynamic Random Access Memory）等の揮発性メモリーを使用することができる。
【００３４】
プログラムメモリー１０４は、ＣＰＵ１０２により実行される基本制御プログラム、各種アプリケーションプログラム及びこれら各プログラムに係るデータ等を格納する。プログラムメモリー１０４に格納されるデータには、プログラムの実行に使用されるデータのほか、プリセットの画像データも含まれる。本実施形態の場合、このプリセットの画像データに、後述する可読阻害画像が含まれている。
【００３５】
そして、プログラムメモリー１０４は、ＣＰＵ１０２からの読み出し要求に従って、それら各種プログラムやデータをＣＰＵ１０２に出力する。なお、プログラムメモリー１０４内の各種プログラム及びデータは、いずれもＣＰＵ１０２により読み取り及び実行可能な形式で格納されている。
【００３６】
タッチパネルＩ／Ｆ１１４には、電気泳動表示パネル１１９の前面側（表示面側）に配設されたタッチパネル１１３が接続されている。そして、タッチパネル１１３が押圧操作されると操作位置を示すタッチパネル信号をＣＰＵ１０２に出力する。タッチパネル１１３としては任意の方式のものを用いることができる。すなわち、抵抗膜方式や静電容量方式のタッチパネルを用いることができる。
【００３７】
ＶＲＡＭ１１０は、ＣＰＵ１０２からの書き込み要求に従ってページごとの画像のラスタデータを格納する。また、格納したラスタデータを、表示部制御回路１１１からのデータ送出要求に従って電気泳動表示部１１２のデータ線駆動回路１２１に出力する。表示部制御回路１１１は、ＶＲＡＭ１１０に格納されているラスタデータから電気泳動表示部１１２に表示させるための各種制御信号を生成し、電気泳動表示部１１２に供給する。
【００３８】
電気泳動表示部１１２は、複数の画素がアレイ状に形成された電気泳動表示パネル１１９、つまり電力の供給を止めてもそれまでの表示内容を保持可能な電気泳動素子を具備したパネルを有する。
【００３９】
ここで図３は、電気泳動表示パネル１１９の回路構成図である。
電気泳動表示パネル１１９は、図３に示すように、表示部（画素形成領域）１１９ａの一辺端部に沿って設けられた走査線駆動回路１２０と、表示部１１９ａの他の一辺端部に沿って設けられたデータ線駆動回路１２１とを備えている。表示部１１９ａには、走査線駆動回路１２０から延びる複数の走査線３６と、データ線駆動回路１２１から延びる複数のデータ線３８と、マトリクス状に配列された複数の画素４０とが設けられている。
【００４０】
画素４０は、走査線３６及びデータ線３８と接続された選択トランジスタ４１（スイッチング素子）と、選択トランジスタ４１と接続された画素電極３５と、選択トランジスタ４１及び画素電極３５と接続された保持容量４３とを有する。共通電極３７は複数の画素４０に共通の電極であり、共通電極３７と画素電極３５との間に電気泳動素子３２が挟持されている。
【００４１】
走査線駆動回路１２０は、ｍ本の走査線３６（Ｇ１、Ｇ２、…、Ｇｍ）を介して各々の画素４０に接続されており、これら１行目からｍ行目までの走査線３６を順次選択し、画素４０に設けられた選択トランジスタ４１のオンタイミングを規定する選択信号を、選択した走査線３６を介して供給する。
データ線駆動回路１２１は、ｎ本のデータ線３８（Ｓ１、Ｓ２、…、Ｓｎ）を介して各々の画素４０に接続されており、画素４０の各々に対して、ＶＲＡＭ１１０から出力されるラスタデータを入力する。これにより、電気泳動表示パネル１１９に、ＶＲＡＭに保持されたページの画像が表示される。
【００４２】
なお、本実施形態では走査線駆動回路１２０とデータ線駆動回路１２１とを備えたアクティブマトリクス方式の電気泳動表示パネル１１９を例示しているが、電気泳動表示パネル１１９としてはセグメント駆動方式の電気泳動表示パネルであってもよい。また、走査線駆動回路１２０及びデータ線駆動回路１２１以外の駆動回路（共通電極や他のグローバル配線を駆動する駆動回路等）が設けられ、表示部制御回路１１１に接続されている構成であってもよい。
【００４３】
［第１の駆動方法］
次に、本実施形態の電気泳動表示装置の駆動方法について、図４から図９を参照して説明する。
図４は、本実施形態の第１の駆動方法を示すフローチャートである。図５は、第１の駆動方法における表示部１１９ａの状態遷移を示す説明図である。
【００４４】
本実施形態の第１の駆動方法は、図４に示すように、表示消去ステップＳ１０１と、可読阻害画像表示ステップＳ１０２と、コントラスト変更ステップＳ１０３とを含む情報保護ステップＳ１００を有する。以下、各ステップについて詳細に説明する。
【００４５】
まず、情報保護ステップＳ１００が実行される際には、表示部１１９ａには、通常、図５（ａ）に示すように、操作者に提供された画像が表示されている。
情報保護ステップＳ１００が開始され、表示消去ステップＳ１０１に移行すると、図５（ａ）に示す黒表示の領域Ａ（文字「Ｋ」の画像成分）を選択的に消去する処理が実行される。具体的には、ＣＰＵ１０２から表示部制御回路１１１に制御信号が出力され、表示部制御回路１１１は、制御信号に基づいて走査線駆動回路１２０及びデータ線駆動回路１２１を駆動する。これにより、黒表示されている領域Ａの画素が白表示され、図５（ｂ）に示すように、表示部１１９ａの全体が白表示状態となる。
【００４６】
より詳しくは、走査線駆動回路１２０から出力される選択信号によって領域Ａに属する画素４０を含む画素群が選択され、これらの選択された画素４０の画素電極３５に対してデータ線駆動回路１２１から白表示に対応する画像信号（例えばローレベルの電位）が入力される。また、共通電極３７に白表示に対応する電位（例えばハイレベルの電位）が入力される。これにより、画素電極３５と共通電極３７との電位差により電気泳動素子３２が駆動され、領域Ａに属する画素４０が白表示となる。
ここで、このような表示消去ステップＳ１０１によって図５（ａ）に示した文字「Ｋ」を消去した場合でも、電圧印加履歴の差に起因する残像や、長時間の駆動によって蓄積された残像などにより、図５（ｂ）の二点鎖線に示すように文字「Ｋ」が視認されることがある。
【００４７】
次に、可読阻害画像表示ステップＳ１０２では、図５（ｃ）に示すように、表示部１１９ａに可読阻害画像Ｐｘが表示される。図５に示した例では、可読阻害画像Ｐｘは、細かい文字列「POWEROFF」が一面に配置された画像である。
【００４８】
可読阻害画像表示ステップＳ１０２において、ＣＰＵ１０２は、プログラムメモリー１０４に記憶されている可読阻害画像Ｐｘを読み出してワークメモリー１０３に展開する。そして、ワークメモリー１０３に展開された可読阻害画像Ｐｘのラスタデータを生成し、ＶＲＡＭ１１０に格納する。またＣＰＵ１０２は、表示部制御回路１１１に制御信号を出力する。
【００４９】
表示部制御回路１１１は、入力された制御信号に基づいて走査線駆動回路１２０及びデータ線駆動回路１２１を駆動する。そして、走査線駆動回路１２０及びデータ線駆動回路１２１により、ＶＲＡＭ１１０に格納されているラスタデータが表示部１１９ａの画素４０に入力される。これにより、図５（ｃ）に示すように、表示部１１９ａに可読阻害画像Ｐｘが表示される。
【００５０】
可読阻害画像Ｐｘは、表示部１１９ａに表示させることで、表示部１１９ａに以前表示されていた画像の可読性を低下させる画像である。可読阻害画像Ｐｘを表示することで、文字「Ｋ」として視認される上記の残像が残っていたとしても、図５（ｃ）に示すように、図５（ａ）に示した文字「Ｋ」をほぼ判別できなくすることができる。
可読阻害画像としては、図５に示したもののほか、図６から図９に示す可読阻害画像Ｐｘ１〜Ｐｘ４を例示することができる。
【００５１】
図６に示す可読阻害画像Ｐｘ１は、十字形の図形と、Ｘ字形の図形とを図示縦方向及び横方向に交互に配列した画像である。すなわち、図示縦横方向に延びる画像成分と、図示斜め方向に延びる画像成分とを含む画像である。
【００５２】
図７に示す可読阻害画像Ｐｘ２は、格子状の図形Ｃ１と、図示斜め４５°方向に延びるストライプ状の２つの図形Ｃ２、Ｃ３を重ね合わせた画像である。可読阻害画像Ｐｘ２も、図示縦横方向に延びる直線状の画像成分と、図示斜め方向に延びる直線状の画像成分とを含む。
なお、図７では、可読阻害画像Ｐｘ２の画像成分を判別しやすくするために、各図形の大きさを異ならせて表示しており、実際の可読阻害画像Ｐｘ２の模様は、３つの図形Ｃ１〜Ｃ３が重なった部分の模様となる。
【００５３】
図８に示す可読阻害画像Ｐｘ３は、「ａ」〜「ｚ」を配列した文字列を敷き詰めた画像であり、図５（ｃ）に示した可読阻害画像Ｐｘと同種のものである。可読阻害画像Ｐｘ３には任意の文字、記号などを用いることができ、可読阻害画像Ｐｘのように意味のある文字列を配置してもよく、無意味な文字列の配列であってもよい。さらに、構成要素である文字を回転させたり、反転させたものを混在させてもよい。
【００５４】
本例のように文字や記号により可読阻害画像を形成する場合にも、図示縦横方向に延びる画像成分と、図示斜め方向に延びる画像成分を含むように文字列を選択することが好ましい。また、図８に示すように、文字同士が一部重なり合うようにすることで、より高い可読阻害効果を得ることができる。
【００５５】
図９に示す可読阻害画像Ｐｘ４は、複数サイズのドットをランダムに配列したランダムパターンからなる画像である。画像成分であるドットは任意のサイズとすることができるが、表示部１１９ａに表示される文字よりも小さいサイズとすることが好ましい。また、ドットの配置は、ドットが配置されない領域がドットと同等のサイズとなるようにすることが好ましい。
【００５６】
なお、可読阻害画像は、上記に例示した可読阻害画像Ｐｘ１〜Ｐｘ４に限定されるものではなく、以前表示されていた画像の可読性を低下させることができる模様の画像であれば、任意の画像を用いることができる。例えば、可読阻害画像Ｐｘ１〜Ｐｘ４を反転させた画像や、可読阻害画像Ｐｘ１〜Ｐｘ４を適宜組み合わせた画像も、可読阻害画像として好適に用いることができる。
【００５７】
次に、コントラスト変更ステップＳ１０３に移行すると、ＣＰＵ１０２は、表示部制御回路１１１に対して表示部１１９ａの表示コントラストを低下させる制御信号を出力する。本実施形態の場合、表示コントラストを低下させる動作として、表示部１１９ａの表示画像を構成する黒表示の画素４０を、中間調表示に移行させる動作を実行する。
【００５８】
より詳しくは、黒表示の画素４０に対して、短時間の白表示動作を行わせることで、黒表示をグレー表示に変更する。例えば、表示消去ステップＳ１０１を、電気泳動素子３２への電圧印加時間を短縮して実行することで、図５（ｃ）では黒表示されていた文字列をグレー表示に移行させることができ、グレー表示の可読阻害画像Ｐｘが表示された状態とすることができる。
【００５９】
コントラスト変更ステップＳ１０３を実行することで、以前表示されていた画像（図５（ａ）に示す文字「Ｋ」）をさらに目立たなくすることができ、極めて判別されにくい状態とすることができる。
これは、表示部１１９ａに生じる残像が、明確に黒表示あるいは白表示された画像成分により構成されるのではなく、消去が不十分であるためにグレー表示となった画像成分により構成されるからである。そのため、可読阻害画像Ｐｘをグレー表示に移行させることで、可読阻害画像Ｐｘと残像との反射率の差異が小さくなり、残像がさらに判別されにくくなって、効果的に可読性を低下させることができる。
【００６０】
なお、コントラスト変更ステップＳ１０３におけるグレー表示の階調は、任意の階調に設定することができる。すなわち、少なくとも中間調表示であれば、残像の階調に近づくため、残像を目立たなくする効果を得ることができる。残像を目立たなくする効果をより高めるためには、表示部１１９ａの残像の階調と同階調のグレー表示とすることが好ましい。
【００６１】
以上に説明した情報保護ステップＳ１００は、任意のタイミングで実行可能なアプリケーションプログラムとしてプログラムメモリー１０４に格納されている。すなわち、ＣＰＵ１０２は、操作者からの指示、又は基本制御プログラムからのアプリケーション呼び出しに応じて、プログラムメモリー１０４から情報保護ステップＳ１００のプログラムを読み出してワークメモリー１０３に展開し、ステップＳ１０１〜Ｓ１０３を順次実行する。
【００６２】
例えば、図１に示した電源ボタン１１６が押下操作され、電源オフ動作又はスタンバイ動作が開始された場合に、ＣＰＵ１０２において実行される電源オフシーケンス又はスタンバイシーケンスの一部として、情報保護ステップＳ１００が実行される。この場合には、図１に示した各回路への電源供給が停止される前に、情報保護ステップＳ１００が実行され、図５（ｄ）に示した表示部１１９ａに可読阻害画像Ｐｘがグレー表示された状態とされる。その後に、各回路への電源供給が停止される。
【００６３】
あるいは、電気泳動表示装置１００が長時間操作されない場合に、情報保護ステップＳ１００が実行されるようにしてもよい。この場合、通常の画像表示動作が終了した後、タイマー１１５を用いて入力ボタン１３０が操作されない時間をカウントする。そして、入力ボタン１３０が一定時間操作されないときに、情報保護ステップＳ１００を実行し、表示部１１９ａを可読阻害画像Ｐｘがグレー表示された状態に移行させる。
【００６４】
以上詳細に説明したように、本実施形態の電気泳動表示装置１００及びその駆動方法によれば、情報保護ステップＳ１００によって、表示部１１９ａに可読阻害画像Ｐｘ（Ｐｘ１〜Ｐｘ４）を表示させることができる。これにより、例えば電気泳動表示装置１００を電源オフ状態とする場合や、入力ボタン１３０が一定時間操作されない場合などに、電気泳動表示部１１２に表示されている画像を、可読阻害画像Ｐｘにより読み取れなくすることができる。したがって、電気泳動素子３２の残像により、表示されていた画像が読み取られてしまうのを防止することができ、電気泳動表示装置１００を用いて表示される情報を効果的に保護することができる。
【００６５】
なお、本実施形態では、表示消去ステップＳ１０１において、領域Ａの画像成分を選択的に消去することとしたが、他の消去方法を用いてもよい。例えば、表示部１１９ａの全体を白表示又は黒表示させて表示画像を消去してもよい。また、図５（ａ）に示した画像の反転画像を表示部１１９ａに表示させた後、表示部１１９ａの全体を消去してもよい。さらに、図５（ａ）に示した白表示の領域を選択的に黒表示させ、これにより全体を黒表示することで画像を消去してもよい。このような消去ステップによって図５（ａ）に示した文字「Ｋ」を消去した場合でも、電圧印加履歴の差などに起因して図５（ｂ）のように文字「Ｋ」の残像が視認されることがあるが、可読阻害画像Ｐｘの作用によりこの残像の可読性を低下させることができる。
【００６６】
また場合によっては、表示消去ステップＳ１０１を実行しない駆動方法とすることもできる。すなわち、図５（ａ）に示した表示部１１９ａに対して、図５（ｃ）に示す可読阻害画像Ｐｘを上書きしてもよい。この場合にも、可読阻害画像Ｐｘの作用により相当程度可読性を低下させることができるため、可読阻害画像Ｐｘの模様によっては十分な効果を得ることができる。表示消去ステップＳ１０１を省略することで、情報保護ステップＳ１００における電力消費を抑えることができる。
【００６７】
さらに、本実施形態では、コントラスト変更ステップＳ１０３により可読阻害画像Ｐｘをグレー表示に移行させ、残像をさらに目立たなくすることとしたが、図５（ｃ）に示した表示状態で十分な可読阻害効果が得られる場合には、コントラスト変更ステップＳ１０３を省略することも可能である。この場合にも、情報保護ステップＳ１００における電力消費を抑えることができる。
【００６８】
［第２の駆動方法］
次に、本実施形態の電気泳動表示装置の第２の駆動方法について、図１０を参照して説明する。
図１０は、本実施形態の第２の駆動方法を示すフローチャートである。
図１０に示すように、第２の駆動方法に係る情報保護ステップＳ２００は、識別情報判定ステップＳ２０１と、第１の表示消去ステップＳ２０２と、可読阻害画像表示ステップＳ２０３と、コントラスト変更ステップＳ２０４と、第２の表示消去ステップＳ２０５とを含む。
【００６９】
識別情報判定ステップＳ２０１は、図５（ａ）に示した画像に、情報保護を要する画像である旨の識別情報が付与されているか否かを判定するステップである。識別情報判定ステップＳ２０１において、識別情報が付与されている場合に、第１の表示消去ステップＳ２０２、可読阻害画像表示ステップＳ２０３、及びコントラスト変更ステップＳ２０４が実行される。一方、識別情報が付与されていない場合には、第２の表示消去ステップＳ２０５が実行される。
【００７０】
第１の表示消去ステップＳ２０２、可読阻害画像表示ステップＳ２０３、及びコントラスト変更ステップＳ２０４は、第１の駆動方法における情報保護ステップＳ１００と同様である。また、第２の表示消去ステップＳ２０５は、第１の駆動方法における表示消去ステップＳ１０１と同様である。
【００７１】
第２の駆動方法では、ＣＰＵ１０２は、入力された画像データに基づく画像を表示部１１９ａに表示させる際に、画像データに識別情報が付与されているか否かを判定する。そして、識別情報が付与されている場合にのみ、可読阻害画像Ｐｘを表示部１１９ａに表示させ、その他の場合には単に表示部１１９ａの画像を消去する。
【００７２】
例えば、電源オフシーケンスに情報保護ステップＳ２００が含まれている場合には、電源ボタン１１６の押下操作によって電源オフシーケンスが開始されたときに表示部１１９ａに表示されている画像の種類によって異なる動作をする。すなわち、表示されている画像が識別情報を付与された情報保護を要する画像である場合には、表示部１１９ａに可読阻害画像Ｐｘが表示された状態で電源オフ状態に移行する。一方、識別情報を付与されていない画像が表示されている場合には、表示部１１９ａが消去された状態で電源オフ状態に移行する。
【００７３】
また、タイマー１１５による非操作時間の監視を行うシーケンスに情報保護ステップＳ２００が含まれている場合には、シーケンスが開始されたときに表示部１１９ａに表示されている画像が情報保護を要する画像であれば、所定の非操作時間の経過後に可読阻害画像Ｐｘが表示される。一方、表示されている画像が識別情報を含まないものである場合には、所定の非操作時間の経過後に、表示部１１９ａの消去動作が実行される。
【００７４】
以上の第２の駆動方法では、画像データに付与された識別情報に基づいて可読阻害画像表示ステップＳ２０３等の実行の要否を選択する。これにより、情報保護を要する画像が表示されているときにのみ可読阻害画像表示ステップＳ２０３等を実行するので、電気泳動表示装置１００の電力消費を抑えることができる。
【００７５】
なお、第２の駆動方法において、第２の表示消去ステップＳ２０５は省略することができる。すなわち、識別情報が付与されていない場合には、表示されている画像は情報保護を要しない画像であり、電気泳動素子３２は画像を表示させた状態であっても電力を消費しないため、あえて表示消去を行わなくてもよい。また、第２の表示消去ステップＳ２０５を省略することで、電源オフ後にも表示を残しておく動作形態や、長時間同じ画像を表示させておく動作形態も選択可能になる。
【００７６】
また第２の駆動方法においても、第１の駆動方法と同様に、第１の表示消去ステップＳ２０２、及びコントラスト変更ステップＳ２０４を場合によっては省略可能である。このように一部のステップを省略することで、さらに電力消費を抑えることができる。
【符号の説明】
【００７７】
１００  電気泳動表示装置、１０２  ＣＰＵ（制御部）、１０３  ワークメモリー、１０４  プログラムメモリー、１０５  ページ送りボタン、１０６  ページ戻しボタン、１０７  連続送りボタン、１０８  決定ボタン、１０９  入力Ｉ／Ｆ、１１０  ＶＲＡＭ、１１１  表示部制御回路、１１２  電気泳動表示部、１１３  タッチパネル、１１４  タッチパネルＩ／Ｆ、１１５  タイマー、１１６  電源ボタン、１１８  バス、１１９  電気泳動表示パネル、１２０  走査線駆動回路、１２１  データ線駆動回路
【図１】
2010210898.tif 000003
【図２】
2010210898.tif 000004
【図３】
2010210898.tif 000005
【図４】
2010210898.tif 000006
【図６】
2010210898.tif 000007
【図７】
2010210898.tif 000008
【図８】
2010210898.tif 000009
【図９】
2010210898.tif 000010
【図１０】
2010210898.tif 000011
【図５】
2010210898.tif 000012